(57)【要約】【課題】  管支持の施工能率を高めるとともに、管支持の必要スペース及びコストを縮減する。【解決手段】  支持対象管２に対して外嵌状に装着する装着部４Ａと、その装着部４Ａから管径方向の外側へ延出させた支持用連結部４Ｂとを備える配管固定具４を、支持基体に対して連結する配管固定具用４の連結支持具５を構成するのに、支持対象管２を貫通させる壁貫通孔３を形成した壁体１を支持基体としてその壁体１に対し立姿勢で連結する脚部５Ａと、その脚部５Ａを壁体１に対し立姿勢で連結した状態において脚部５Ａの先端部分から横向き姿勢で一方向に延出する片持ち支持用の腕部５ＢとからなるＬ字状構造にし、脚部５Ａの基端部分に壁体１に対する連結手段を設けるとともに、腕部５Ｂの先端部分に配管固定具４の支持用連結部４Ｂに対する連結手段を設ける。【選択図】        図１
2005214400.tif 000002
【特許請求の範囲】
【請求項１】
支持対象管に対して外嵌状に装着する装着部と、その装着部から管径方向の外側へ延出させた支持用連結部とを備える配管固定具を、支持基体に対して連結する配管固定具用の連結支持具であって、
支持対象管を貫通させる壁貫通孔を形成した壁体を前記支持基体としてその壁体に対し立姿勢で連結する脚部と、その脚部を前記壁体に対し立姿勢で連結した状態において前記脚部の先端部分から横向き姿勢で一方向に延出する片持ち支持用の腕部とからなるＬ字状構造にし、
前記脚部の基端部分に前記壁体に対する連結手段を設けるとともに、前記腕部の先端部分に前記配管固定具の支持用連結部に対する連結手段を設けてある配管固定具用の連結支持具。
【請求項２】
前記腕部を、その延出方向視で前記壁体に対し垂直姿勢になる縦辺部と前記壁体に対し平行姿勢になる横辺部とを備えるＬ字状の断面形状にし、
前記装着部を支持対象管に装着した状態において、板状の前記支持用連結部を、前記縦辺部に対し面対向させて重ね合わせた状態で、かつ、前記横辺部に対し板横端側を当接させた状態で、前記腕部の先端部分に連結する構造にしてある請求項１記載の配管固定具用の連結支持具。
【請求項３】
前記腕部の先端側部分において前記横辺部に、前記腕部の延出方向視での前記横辺部の幅寸法を前記腕部の基端側部分よりも小さくする切欠部を設けてある請求項２記載の配管固定具用の連結支持具。
【発明の詳細な説明】
【技術分野】
【０００１】
本発明は、エアコン用冷媒配管などの支持対象管に対して外嵌状に装着する装着部と、その装着部から管径方向の外側へ延出させた支持用連結部とを備える配管固定具を、支持基体に対して連結する配管固定具用の連結支持具に関する。
【背景技術】
【０００２】
従来、上記の如き配管固定具用の連結支持具としては、図３に示す如く、配管固定具４における板状の支持用連結部４Ｂを面対向状態で重ね合わせて連結する板状の連結片部２０Ａと、断面形状が「コ」の字状の基盤部２０ＢとからなるＬ字状構造にし、そして、配管固定具４の支持用連結部４Ｂに対する連結ボルト２１のボルト孔を連結片部２０Ａに形成するとともに、支持基体２２に対する連結ボルト２３のボルト孔を基盤部２０Ｂの「コ」の字断面形状における中間辺部分２４ａに形成した連結支持具２０がある（下記特許文献１参照）。
【０００３】
つまり、この連結支持具２０は、同図３に示す如く、支持対象管２に対してねじれの位置関係となる姿勢で建屋の躯体１に連結固定するボルト孔付きアングル部材２２を支持基体として、そのアングル部材２２の側面部に基盤部２０Ｂの「コ」の字状断面形状における一方の側辺部２４ｂを係止させた姿勢規定状態で、基盤部２０Ｂをボルト連結によりアングル部材２２に連結し、その状態において突出姿勢となる連結辺部２０Ａに対し配管固定具４の支持用連結部４Ｂをボルト連結する構造にしていた。
【０００４】
なお、この例で示す配管固定具４の支持対象管２に対する装着部４Ａは、支持対象管２に対し外嵌状態でロウ付け連結する２つ割構造の鍔６ａ付き内側筒状部材６と、その鍔６ａを長孔７ａに係入させた状態で内側筒状部材６の上から支持対象管２に外嵌させる２つ割構造の外側筒状部７とからなり、この外側筒状部７における両分割部分７ｂの夫々から上記連結支持具２０に対する板状の支持用連結部４Ｂを管径方向の外側向きに延出させてある。
【０００５】
すなわち、この配管固定具４は、外側筒状部７を内側筒状部材６の上から支持対象管２に対し外嵌させて閉じた状態において対向状態となる一対の支持用連結部４Ｂの間に連結支持具２０の連結片部２０Ａを挟み込み、この挟み込み状態で両支持用連結部４Ｂを連結支持具２０の連結片部２０Ａに対しボルト連結する構造にしてあり、そして、管支持状態においては、内側筒状部材６における鍔６ａと外側筒状部７における長孔７ａとの係合により支持対象管２の管芯方向への移動を確実に阻止するようにしてある。
【特許文献１】意匠登録１１８６２６１号公報
【発明の開示】
【発明が解決しようとする課題】
【０００６】
しかし、上記した従来の連結支持具２０では、例えば、床壁１に貫通させる縦管２を支持対象管とする場合で、壁貫通孔３に対する後処理作業などの都合から壁貫通孔近傍の縦管周り空間を空けた状態にして縦管２を支持する必要がある場合、同図３に示す如く、ボルト孔付きアングル部材２２で門型フレーム２５を組み、その門型フレーム２５を本来の支持基体である建屋躯体の床壁１（又は横壁）に立姿勢で連結固定した上で、連結支持具２０の基盤部２０Ａを門型フレーム２５における中間辺部のアングル部材２２にボルト連結しなければならず、この為、施工能率が低く、また、管支持の必要スペース及びコストも嵩む問題があった。
【０００７】
この実情に鑑み、本発明の主たる課題は、合理的な支持構造の採用により上記の如き問題を効果的に解消する点にある。
【課題を解決するための手段】
【０００８】
〔１〕本発明の第１特徴構成は、支持対象管に対して外嵌状に装着する装着部と、その装着部から管径方向の外側へ延出させた支持用連結部とを備える配管固定具を、支持基体に対して連結する配管固定具用の連結支持具に係り、その特徴は、
支持対象管を貫通させる壁貫通孔を形成した壁体を前記支持基体としてその壁体に対し立姿勢で連結する脚部と、その脚部を前記壁体に対し立姿勢で連結した状態において前記脚部の先端部分から横向き姿勢で一方向に延出する片持ち支持用の腕部とからなるＬ字状構造にし、
前記脚部の基端部分に前記壁体に対する連結手段を設けるとともに、前記腕部の先端部分に前記配管固定具の支持用連結部に対する連結手段を設けてある点にある。
【０００９】
つまり、この第１特徴構成によれば、支持対象管を貫通させる壁貫通孔を形成した壁体（例えば、床壁）に対し脚部を立姿勢にした状態で、かつ、片持ち支持用の腕部が支持対象管の側に向けて横向き姿勢で延出する状態にして、壁体に対する脚部基端部分の連結により上記Ｌ字状構造の連結支持具を支持基体としての壁体に連結固定し、この状態において、装着部の外嵌状装着で支持対象管に連結する配管固定具の支持用連結部（装着部から管径方向の外側へ延出する支持用連結部）を連結支持具における片持ち支持用腕部の先端部分に連結することにより、上記Ｌ字状構造をもって壁貫通孔近傍における支持対象管周りの空間を壁貫通孔に対する後処理作業などのために空けた状態して支持対象管を支持することできる。
【００１０】
したがって、上記第１特徴構成によれば、壁貫通孔近傍における支持対象管周りの空間を空けた状態で支持対象管を支持するのに先述の如き門型フレームを要する従来の配管固定具用連結支持具に比べ、管支持作業の施工能率を高めることができ、また、管支持の必要スペース及びコストも縮減することができる。
【００１１】
ちなみに、壁貫通孔近傍における支持対象管周りの空間を空けた状態で支持対象管を支持するのに、先述した図３に示す板状連結片部２０Ａと基盤部２０Ｂとからなる従来の連結支持具２０において基盤部２０Ｂの「コ」の字状断面形状における両側片部２４ｂを不存にした構造の図４に示す如き連結支持具２０′を用いて、配管固定具４を支持対象管２に沿う姿勢の壁体１Ａ（つまり、支持対象管２を縦姿勢で床壁１に貫通させる場合では、その支持対象管近くの縦壁）に連結固定することも考えられるが、この連結支持具２０′は、支持対象管２に沿う姿勢の壁体１Ａが壁貫通孔３の近くに存在する場合に使用条件が限られてしまう。
【００１２】
これに対し、上記第１特徴構成によれば、支持対象管を貫通させる壁貫通孔を形成した壁体を支持基体とすることから、支持対象管に沿う姿勢の壁体が壁貫通孔の近くに存在しない場合でも支持対象管を支持することができ、この点で汎用性にも優れた配管固定具用の連結支持具となる。
【００１３】
なお、第１特徴構成の実施において、支持基体としての壁体（すなわち、支持対象管を貫通させる壁貫通孔を形成する壁体）は、床壁に限られるものではなく、天井壁、縦壁、斜め壁であってもよく、脚部の立姿勢とは支持基体としての壁体に対して立つ姿勢を云い、片持ち支持用の腕部の横向き姿勢とは立姿勢の脚部に対して横向きの姿勢を云う。
【００１４】
また、床壁、天井壁、斜め壁を壁貫通孔形成の支持基体とする場合、配管固定具及び連結支持具による支持対象管の支持位置は、それら壁体の上方位置あるいは下方位置のいずれであってもよい。
【００１５】
〔２〕本発明の第２特徴構成は、前記第１特徴構成の実施において好適な実施形態を特定するものであり、その特徴は、
前記腕部を、その延出方向視で前記壁体に対し垂直姿勢になる縦辺部と前記壁体に対し平行姿勢になる横辺部とを備えるＬ字状の断面形状にし、
前記装着部を支持対象管に装着した状態において、板状の前記支持用連結部を、前記縦辺部に対し面対向させて重ね合わせた状態で、かつ、前記横辺部に対し板横端側を当接させた状態で、前記腕部の先端部分に連結する構造にしてある点にある。
【００１６】
つまり、この第２特徴構成によれば、装着部を支持対象管に装着した状態において、配管固定具における板状の支持用連結部（すなわち、支持対象管に対し外嵌状に装着した装着部から管径方向の外側へ延出する板状の支持用連結部）を、上記縦辺部に対し面対向させて重ね合わせた状態で連結支持具における片持ち支持用腕部の先端部分に連結する際、その片持ち支持用腕部の上記横辺部に対する板状支持用連結部の板横端側の当接により、連結支持具の片持ち支持用腕部に対する配管固定具の相対姿勢を規定することができて、その姿勢規定により、連結支持具の片持ち支持用腕部に対する配管固定具の連結操作を容易にすることができ、これにより、管支持作業の施工能率を一層高めることができる。
【００１７】
〔３〕本発明の第３特徴構成は、前記第２特徴構成の実施において好適な実施形態を特定するものであり、その特徴は、
前記腕部の先端側部分において前記横辺部に、前記腕部の延出方向視での前記横辺部の幅寸法を前記腕部の基端側部分よりも小さくする切欠部を設けてある点にある。
【００１８】
つまり、この第３特徴構成によれば、連結支持具における片持ち支持用腕部の延出方向視における前記横辺部の幅寸法を腕部の基端側部分では大きくして、腕部と脚部との間のコーナー部分の強度を大きく確保しながらも、腕部先端側部分において横辺部に形成した上記切欠部の存在により、支持対象管の支持箇所周りに対する断熱材の付設処理を容易かつ良好に行うことができ、これにより、支持対象管が断熱処理を要する管である場合において、その断熱処理を含めた管支持作業の施工能率を効果的に高めることができる。
【発明を実施するための最良の形態】
【００１９】
図１において、１は建屋躯体である床壁、２はその床壁１に形成の壁貫通孔３に貫通させた縦管（例えば、エアコン用冷媒管など縦配管部分）であり、この縦管２は、配管固定具４及び連結支持具５により床壁１に連結固定して支持してある。
【００２０】
配管固定具４は、支持対象管としての縦管２に対し外嵌状に装着して配管固定具４と縦管２とを連結する装着部４Ａと、その装着部４Ａから縦管２の管径方向外側へ延出させた１対の支持用連結部４Ｂとからなり、床壁１に連結固定した連結支持具５に対しこの支持用連結部４Ｂを連結することで、縦管２を床壁１に対し連結固定する。
【００２１】
配管固定具４の装着部４Ａは、先述の図３に示す如く、縦管２に対し外嵌状態でロウ付け連結する２つ割構造の鍔６ａ付き内側筒状部材６と、その鍔６ａを長孔７ａに係入させた状態で内筒状部材６の上から縦管２に外嵌させる２つ割構造の外側筒状部７とからなり、この外側筒状部７における両分割部分７ｂの夫々から連結支持具５に対する板状の支持用連結部４Ｂを管径方向の外側向きに延出させてある。
【００２２】
また、外側筒状部７の両分割部分７ｂには、外側筒状部７を縦管２に対し外嵌させる際に、それら両分割部分７ｂを相互連結するとともにヒンジとして機能させる係止連結部７ｃを形成してある。
【００２３】
一方、配管固定具４を支持基体としての床壁１に連結する連結支持具５は、図１及び図２に示す如く、床壁１に対し立姿勢で連結するアングル鋼材製の脚部５Ａと、その脚部５Ａを床壁１に対し立姿勢で連結した状態において脚部５Ａの先端（上端）から床壁１と略平行な横向き姿勢で一方向に延出する片持ち支持用の腕部５ＢとからなるＬ字状構造にしてあり、脚部５Ａの基端部分には床壁１に対する連結手段として２つのボルト孔８ａを形成した基盤部８を設けてある。
【００２４】
また、連結支持具５における片持ち支持用腕部５Ｂは、アングル鋼材を母材として、その延出方向視で床壁１に対し垂直姿勢なる縦辺部９ａと床壁１に対し平行姿勢になる横辺部９ｂとを備えるＬ字状の断面形状にし、この腕部５Ｂの先端部分において縦辺部９ａには、配管固定具４の支持用連結部４Ｂに対する連結手段としての２つのボルト孔９ｃを形成してある。
【００２５】
すなわち、上記配管固定具４は、外側筒状部７を内側筒状部材６（図３参照）の上から縦管２に対し外嵌させて閉じた状態において対向状態となる一対の支持用連結部４Ｂの各々を連結支持具５における腕部５Ｂの縦辺部９ａに対し面対向させて重ね合わせる形態で、それら一対の支持用連結部４Ｂの間に連結支持具５における腕部５Ｂの縦辺部９ａを挟み込み、この挟み込み状態で両支持用連結部４Ｂをボルト２１により連結支持具５の腕部５Ｂにおける先端部分に連結する構造にしてあり、管支持状態においては、内側筒状部材６の鍔６ａと外側筒状部７の長孔７ａとの係合により、縦管２の管芯方向への移動を確実に阻止するようにしてある。
【００２６】
また、配管固定具４を床壁１に連結固定する連結支持具５については、上記の如き脚部５Ａと腕部５ＢとからなるＬ字状構造にすることで、壁貫通孔３の近傍における縦管周り空間を空けた状態（すなわち、支持部材が不存の状態）で縦管２を支持し得るようにし、これにより、壁貫通孔３に対する防火孔埋め作業などを管支持構造を支障とすることなく容易に行えるようにしてある。
【００２７】
そしてまた、連結支持具５の腕部５Ｂをその延出方向視で縦辺部９ａと横辺部９ｂとを備えるＬ字状断面形状にすることにより、配管固定具４の支持用連結部４Ｂを連結支持具５に連結する際には、配管固定具４の支持用連結部４Ｂにおける板横端側（すなわち、本例では上縁側）を連結支持具５の腕部５Ｂにおける横辺部９ｂの下面に当接させて、連結支持具５の腕部５Ｂに対する配管固定具４の相対姿勢を規定することで、連結支持具５の腕部５Ｂに対する配管固定具４のボルト連結操作も容易に行えるようにしてある。
【００２８】
なお、連結支持具５における腕部５Ｂの先端側部分の横辺部９ｂには、腕部５Ｂの延出方向視での横辺部９ｂの幅寸法を腕部５Ｂの基端側部分よりも小さくする切欠部１０を形成し、この切欠部１０の存在により縦管２の支持箇所周りに対する断熱材１１（Ｔ字状で２つ割構造の支持箇所用断熱材）の付設作業を容易かつ良好に行えるようにしてある。
【００２９】
１２は支持箇所以外の部分で縦管２に付設する直線状の断熱材、１３は防火用材などにより孔埋めした壁貫通孔３に対するカバー部材である。
【００３０】
〔別の実施形態〕
次に本発明の別実施形態を列記する。
支持対象管２を貫通させる壁貫通孔３を形成した壁体１を支持基体としてその壁体１に対し立姿勢で連結する脚部５Ａと、その脚部５Ａを壁体１に対し立姿勢で連結した状態において脚部５Ａの先端部分から横向き姿勢で一方向に延出する片持ち支持用の腕部５ＢとからなるＬ字状構造の連結支持具５を構成するのに、その脚部５Ａ及び腕部５Ｂ夫々の具体的な構造は前述の実施形態に示した構造に限られるものではなく、種々の変更が可能であり、そのＬ字状構造も厳密なＬ字状の構造に限られるものではない。
【００３１】
また、支持基体としての壁体１に対する脚部５Ａの連結構造、及び、配管用固定具４の支持用連結部４Ｂに対する腕部５Ｂの連結構造も、前述の実施形態で示した構造に限られるものではなく、種々の変更が可能である。
【００３２】
連結対象の配管固定具４は、前述の実施形態で示した構造のものに限らず、支持対象管２に対して外嵌状に装着する装着部４Ａと、その装着部４Ａから管径方向の外側へ延出させた支持用連結部４Ｂとを備えるものであれば、どのような構造の配管固定具であってもよい。
【産業上の利用可能性】
【００３３】
本発明による連結支持具は、エアコン用冷媒管、ドレン管、冷温水管など各種の管の支持に適用できる。
【図面の簡単な説明】
【００３４】
【図１】管支持状態を示す斜視図
【図２】連結支持具の斜視図
【図３】従来例を示す斜視図
【図４】比較例を示す斜視図
【符号の説明】
【００３５】
１          支持基体，壁体
２          支持対象管
３          壁貫通孔
４          配管固定具
４Ａ        装着部
４Ｂ        支持用連結部
５          配管固定具用の連結支持具
５Ａ        脚部
５Ｂ        腕部
８ａ        連結手段
９ａ        縦辺部
９ｂ        横辺部
９ｃ        連結手段
１０        切欠部
【図１】
2005214400.tif 000003
【図２】
2005214400.tif 000004
【図３】
2005214400.tif 000005
【図４】
2005214400.tif 000006